(57)【要約】      （修正有）【課題】動画像データを編集するときに、ユーザが希望する条件に対して新たな条件が発生した場合、その新たな条件を短時間で実行することができる。【解決手段】動画像編集装置は、ユーザが希望する条件により、タイムライン群のうちの第１タイムラインＴＬ１に対してユーザ指定領域が指定される。この条件に対して新たな条件が発生した場合、タイムライン群のうちの第２タイムラインＴＬ２に対してユーザ指定領域が指定される。このようにして、タイムライン群ＴＬ１、ＴＬ２、ＴＬ３、ＴＬ４の各々のタイムラインに対してユーザ指定領域が指定される。タイムライン群ＴＬ１、ＴＬ２、ＴＬ３、ＴＬ４の１つのタイムラインにより動画像データ１０を再生表示したい場合、再生表示指示に応じて、動画像データ１０のうちの、上記１つのタイムラインのユーザ指定領域に対応する動画像データが表示装置に再生表示される。【選択図】図１１
2007088915.tif 000002
【特許請求の範囲】
【請求項１】
動画像データを格納する記憶装置と、
表示装置と、
制御装置とを具備し、
前記制御装置は、
前記記憶装置に格納された前記動画像データとユーザが前記動画像データを編集することが可能な時間軸を表すタイムライン群とを含む操作画面を前記表示装置に表示する操作画面表示制御部と、
前記操作画面に表示された前記タイムライン群の各々のタイムラインに対してユーザ指定領域を指定するユーザ指定制御部と、
前記タイムライン群のうちの１つのタイムラインが選択されたとき、前記記憶装置に格納された前記動画像データのうちの、前記１つのタイムラインのユーザ指定領域に対応する動画像データを前記表示装置に再生表示する再生表示制御部と
を具備する動画像編集装置。
【請求項２】
動画像データを格納する記憶装置と、
表示装置と、
制御装置とを具備し、
前記制御装置は、
前記記憶装置に格納された前記動画像データとユーザが前記動画像データを編集することが可能な時間軸を表すタイムライン群とを含む操作画面を前記表示装置に表示する操作画面表示制御部と、
前記操作画面に表示された前記タイムライン群の各々のタイムラインに対してユーザ指定領域を指定するユーザ指定制御部と、
論理条件に応じて、前記タイムライン群のうちの選択タイムラインを選択し、前記選択タイムラインのユーザ指定領域が指定された論理タイムラインを生成する論理制御部と、
前記記憶装置に格納された前記動画像データのうちの、前記論理タイムラインのユーザ指定領域に対応する動画像データを前記表示装置に再生表示する再生表示制御部と
を具備する動画像編集装置。
【請求項３】
請求項２に記載の動画像編集装置において、
前記論理条件がＯＲ命令を表し、前記選択タイムラインが前記タイムライン群のうちの少なくとも２つのタイムラインであるとき、前記論理制御部は、前記論理条件に応じて、前記選択タイムラインのユーザ指定領域が指定された前記論理タイムラインを生成する
動画像編集装置。
【請求項４】
請求項３に記載の動画像編集装置において、
前記論理条件がＮＯＴ命令を表し、前記選択タイムラインが前記タイムライン群のうちの少なくとも１つのタイムラインであるとき、前記論理制御部は、前記論理条件に応じて、前記選択タイムラインのユーザ指定領域以外の領域が指定された前記論理タイムラインを生成する
動画像編集装置。
【請求項５】
請求項３又は４に記載の動画像編集装置において、
前記論理命令がＮＯＲ命令を表し、前記選択タイムラインが前記タイムライン群のうちの少なくとも２つのタイムラインであるとき、前記論理制御部は、前記論理条件に応じて、前記選択タイムラインのユーザ指定領域以外の領域が指定された前記論理タイムラインを生成する
動画像編集装置。
【請求項６】
請求項３〜５のいずれかに記載の動画像編集装置において、
前記論理命令がＡＮＤ命令を表し、前記選択タイムラインが前記タイムライン群のうちの少なくとも２つのタイムラインであるとき、前記論理制御部は、前記論理条件に応じて、前記選択タイムラインのユーザ指定領域のうちの、時間帯が重なるユーザ指定領域が指定された前記論理タイムラインを生成する
動画像編集装置。
【請求項７】
請求項２〜６のいずれかに記載の動画像編集装置において、
前記制御装置は、
前記論理タイムラインと前記タイムライン群とを含む複数のタイムラインのうちの１つ以上のタイムラインを前記タイムライン群として前記動画像データに対応付けて前記記憶装置に格納する格納制御部
を更に具備する動画像編集装置。
【請求項８】
請求項１〜７のいずれかに記載の動画像編集装置において、
前記ユーザ指定制御部は、前記操作画面に表示された前記タイムライン群の各々のタイムラインに対して、第１指定時間及び第２指定時間を指定し、前記第１指定時間と前記第２指定時間との間の時間帯を前記ユーザ指定領域として指定する
動画像編集装置。
【請求項９】
請求項１〜８のいずれかに記載の動画像編集装置において、
前記操作画面は、ユーザが前記動画像データを編集するときの手助けとなる時間軸を表す編集アシストライン群を更に含む
動画像編集装置。
【請求項１０】
請求項９に記載の動画像編集装置において、
前記動画像データは、ビデオカメラにより被写体を撮影したときの映像データであり、
前記編集アシストライン群のうちの１つの編集アシストラインは、前記ビデオカメラの操作履歴を表している
動画像編集装置。
【請求項１１】
請求項９に記載の動画像編集装置において、
前記動画像データは、ビデオカメラにより被写体を撮影したときの映像データであり、
前記編集アシストライン群のうちの１つの編集アシストラインは、前記動画像データに含まれる音声データの特徴を表している
動画像編集装置。
【請求項１２】
請求項９に記載の動画像編集装置において、
前記動画像データは、テレビ放送された番組を録画したときの映像データであり、
前記編集アシストライン群のうちの１つの編集アシストラインは、前記動画像データにおける再生履歴を表している
動画像編集装置。
【請求項１３】
請求項９に記載の動画像編集装置において、
前記動画像データは、テレビ放送された番組を録画したときの映像データであり、
前記編集アシストライン群のうちの１つの編集アシストラインは、前記動画像データに含まれる音声データの特徴を表している
動画像編集装置。
【請求項１４】
請求項９に記載の動画像編集装置において、
更に、
ネットワークを介してサーバと接続されたネットワーク接続部を具備し、
前記動画像データは、テレビ放送された番組を録画したときの映像データであり、
前記ネットワーク接続部は、前記番組が放送されているときの視聴率を表す視聴率情報を前記サーバから受信して、前記動画像データに対応付けて前記記憶装置に格納し、
前記編集アシストライン群のうちの１つの編集アシストラインは、前記視聴率情報を表している
動画像編集装置。
【請求項１５】
請求項１〜１４のいずれかに記載の動画像編集装置において、
前記操作画面に表示された前記動画像データは、前記動画像データの一部を表すサムネイル画像であり、
前記操作画面に表示された前記タイムライン群は、前記サムネイル画像に対応する
動画像編集装置。
【請求項１６】
記憶装置に格納された動画像データと、ユーザが前記動画像データを編集することが可能な時間軸を表すタイムライン群とを含む操作画面を表示装置に表示する操作画面表示制御ステップと、
前記操作画面に表示された前記タイムライン群の各々のタイムラインに対してユーザ指定領域を指定するユーザ指定制御ステップと、
前記タイムライン群のうちの１つのタイムラインが選択されたとき、前記記憶装置に格納された前記動画像データのうちの、前記１つのタイムラインのユーザ指定領域に対応する動画像データを前記表示装置に再生表示する再生表示制御ステップと
を具備する動画像編集方法。
【請求項１７】
記憶装置に格納された動画像データと、ユーザが前記動画像データを編集することが可能な時間軸を表すタイムライン群とを含む操作画面を表示装置に表示する操作画面表示制御ステップと、
前記操作画面に表示された前記タイムライン群の各々のタイムラインに対してユーザ指定領域を指定するユーザ指定制御ステップと、
論理条件に応じて、前記タイムライン群のうちの選択タイムラインを選択し、前記選択タイムラインのユーザ指定領域が指定された論理タイムラインを生成する論理制御ステップと、
前記記憶装置に格納された前記動画像データのうちの、前記論理タイムラインのユーザ指定領域に対応する動画像データを前記表示装置に再生表示する再生表示制御ステップと
を具備する動画像編集方法。
【請求項１８】
請求項１７に記載の動画像編集方法において、
前記論理条件がＯＲ命令を表し、前記選択タイムラインが前記タイムライン群のうちの少なくとも２つのタイムラインであるとき、前記論理制御ステップは、前記論理条件に応じて、前記選択タイムラインのユーザ指定領域が指定された前記論理タイムラインを生成するステップ
を含む動画像編集方法。
【請求項１９】
請求項１８に記載の動画像編集方法において、
前記論理条件がＮＯＴ命令を表し、前記選択タイムラインが前記タイムライン群のうちの少なくとも１つのタイムラインであるとき、前記論理制御ステップは、前記論理条件に応じて、前記選択タイムラインのユーザ指定領域以外の領域が指定された前記論理タイムラインを生成するステップ
を含む動画像編集方法。
【請求項２０】
請求項１８又は１９に記載の動画像編集方法において、
前記論理命令がＮＯＲ命令を表し、前記選択タイムラインが前記タイムライン群のうちの少なくとも２つのタイムラインであるとき、前記論理制御ステップは、前記論理条件に応じて、前記選択タイムラインのユーザ指定領域以外の領域が指定された前記論理タイムラインを生成するステップ
を含む動画像編集方法。
【請求項２１】
請求項１８〜２０のいずれかに記載の動画像編集方法において、
前記論理命令がＡＮＤ命令を表し、前記選択タイムラインが前記タイムライン群のうちの少なくとも２つのタイムラインであるとき、前記論理制御ステップは、前記論理条件に応じて、前記選択タイムラインのユーザ指定領域のうちの、時間帯が重なるユーザ指定領域が指定された前記論理タイムラインを生成するステップ
を含む動画像編集方法。
【請求項２２】
請求項１６〜２１のいずれかに記載の動画像編集方法において、
更に、
前記論理タイムラインと前記タイムライン群とを含む複数のタイムラインのうちの１つ以上のタイムラインを前記タイムライン群として前記記憶装置に格納する格納制御ステップ
を具備する動画像編集方法。
【請求項２３】
請求項１６〜２２のいずれかに記載の動画像編集方法において、
前記ユーザ指定制御ステップは、前記操作画面に表示された前記タイムライン群の各々のタイムラインに対して、第１指定時間及び第２指定時間を指定し、前記第１指定時間と前記第２指定時間との間の時間帯を前記複数のユーザ指定領域として指定するステップ
を含む動画像編集方法。
【請求項２４】
請求項１６〜２３のいずれかに記載の動画像編集方法において、
前記操作画面は、ユーザが前記動画像データを編集するときの手助けとなる時間軸を表す編集アシストライン群を更に含む
動画像編集方法。
【請求項２５】
請求項２４に記載の動画像編集方法において、
前記動画像データは、ビデオカメラにより被写体を撮影したときの映像データであり、
前記編集アシストライン群のうちの１つの編集アシストラインは、前記ビデオカメラの操作履歴を表している
動画像編集方法。
【請求項２６】
請求項２４に記載の動画像編集方法において、
前記動画像データは、ビデオカメラにより被写体を撮影したときの映像データであり、
前記編集アシストライン群のうちの１つの編集アシストラインは、前記動画像データに含まれる音声データの特徴を表している
動画像編集方法。
【請求項２７】
請求項２４に記載の動画像編集装置において、
前記動画像データは、テレビ放送された番組を録画したときの映像データであり、
前記編集アシストライン群のうちの１つの編集アシストラインは、前記動画像データにおける再生履歴を表している
動画像編集方法。
【請求項２８】
請求項２４に記載の動画像編集装置において、
前記動画像データは、テレビ放送された番組を録画したときの映像データであり、
前記編集アシストライン群のうちの１つの編集アシストラインは、前記動画像データに含まれる音声データの特徴を表している
動画像編集方法。
【請求項２９】
請求項２４に記載の動画像編集方法において、
前記動画像データは、テレビ放送された番組を録画したときの映像データであり、
前記操作画面表示制御ステップは、前記番組が放送されているときの視聴率を表す視聴率情報を前記サーバから受信して、前記動画像データに対応付けて前記記憶装置に格納するステップを含み、
前記編集アシストライン群のうちの１つの編集アシストラインは、前記視聴率情報を表している
動画像編集方法。
【請求項３０】
請求項１６〜２９のいずれかに記載の動画像編集方法において、
前記操作画面に表示された前記動画像データは、前記動画像データの一部を表すサムネイル画像であり、
前記操作画面に表示された前記タイムライン群は、前記サムネイル画像に対応する
動画像編集方法。
【請求項３１】
請求項１６〜３０のいずれかに記載の動画像編集方法の各ステップをコンピュータに実行させるコンピュータプログラム。
【発明の詳細な説明】
【技術分野】
【０００１】
本発明は、動画像データを編集する動画像編集装置に関する。
【背景技術】
【０００２】
記憶装置（例示；ハードディスクレコーダー）に格納された動画像データを、ユーザが指定する動画像データに編集する動画像編集装置が知られている。記憶装置に格納された動画像データには、ユーザが指定する動画像データ（ユーザ指定動画像データ）と、それ以外の動画像データとが存在する。この場合、ユーザは、ユーザ指定動画像データを得るための条件を決め、動画像データをユーザ指定動画像データとそれ以外とに分ける。ユーザは、動画像編集装置を操作して、第１番目から最終番目までのユーザ指定動画像データを並べることにより、動画像データを編集する。これにより、編集された動画像データを表示装置に再生表示したときの再生時間は、動画像データを表示装置に再生表示したときの再生時間よりも短くなる。
【０００３】
例えば、動画像データが表す動画像（シーン）にユーザＡ、Ｂが映し出されていて、ユーザＡが動画像編集装置を操作してその動画像データを編集する場合を考えてみる。
第１の条件として、ユーザＡは、本人が映し出されたシーンを必要とする場合がある。この場合、ユーザＡは、動画像編集装置を操作して、動画像データを、ユーザＡが映し出されたシーンを表す動画像データ（ユーザ指定動画像データＡ’）と、それ以外とに分ける。ユーザＡは、動画像編集装置を操作して、第１番目から最終番目までのユーザ指定動画像データＡ’を並べることにより、動画像データを編集する。
第２の条件として、ユーザＡは、ユーザＢが映し出されたシーンを必要とする場合がある。この場合、ユーザＡは、動画像編集装置を操作して、動画像データを、ユーザＢが映し出されたシーンを表す動画像データ（ユーザ指定動画像データＢ’）と、それ以外とに分ける。ユーザＡは、動画像編集装置を操作して、第１番目から最終番目までのユーザ指定動画像データＢ’を並べることにより、動画像データを編集する。
このように、ユーザＡは、動画像データを編集するときに、希望する第１、第２の条件により、ユーザ指定動画像データＡ’、Ｂ’を得ることができる。
【０００４】
しかしながら、そのような動画像編集装置では、ユーザ指定動画像データを得るための条件が多く存在する場合、ユーザが希望する条件を満たすためには、ユーザは動画像データを何度も編集することになる。
例えば、ユーザＡは、第１、第２の条件によりユーザ指定動画像データＡ’、Ｂ’を得たが、新たな条件（第３の条件）として、ユーザＡとユーザＢとが映し出されたシーンを必要とする場合がある。この場合、ユーザＡは、動画像編集装置を操作して、動画像データを、ユーザＡ、Ｂが映し出されたシーンを表す動画像データ（ユーザ指定動画像データＡＢ’）と、それ以外とに分ける。ユーザＡは、動画像編集装置を操作して、第１番目から最終番目までのユーザ指定動画像データＡＢ’を並べることにより、動画像データを編集する。このため、ユーザＡは、第１、第２の条件によりユーザ指定動画像データＡ’、Ｂ’を得たとしても、第３の条件によりユーザ指定動画像データＡＢ’を得る必要がある場合、動画像データを再度編集することになる。ユーザがそのような動画像編集装置を用いて動画像データを編集することは、編集作業に要する時間がかかり、その編集効率が悪い。
【０００５】
従来の編集装置に関連する技術として、特開２００４−１４０７５０号公報には、ショットの削除や並べ替え程度の簡単な編集からアフレコや画面硬化挿入などのやや高度な編集まで、極めて簡単に行なうことを可能とする画像編集装置が開示されている。この画像編集装置は、複数の動画像信号を取り込むための取り込み手段と、前記複数の動画像のそれぞれを代表する静止画である複数の代表画像と、各動画像の識別番号とを関連付けて表示する第１の表示手段と、前記複数の動画像を並べる順番を設定するために、前記識別番号を所望の順番に並べて入力するための入力画面を表示する第２の表示手段と、前記入力画面に前記識別番号を所望の順番で並べて入力するための入力手段と、前記入力画面に入力された前記識別番号の順番に前記各動画像を並べて編集する編集手段とを備えることを特徴としている。
【０００６】
特開２００１−１１９６５８号公報には、映像データの編集作業に不慣れな者であっても、簡単な操作で、適切なカット映像の入力を行うことで、簡単に映像データの編集を行えることを可能とした映像編集装置が開示されている。この映像編集装置は、前記映像編集装置を制御する装置制御信号を出力するコントローラと、前記装置制御信号に基づき前記記録媒体に記録された映像データを再生すると共に、前記装置制御信号に同期させて映像データを出力する映像再生装置と、前記映像再生装置で再生した映像データを表示するモニター装置と、前記映像再生装置から出力された映像データをカット映像として記録、編集するカット映像記録編集装置と、前記映像再生装置から出力された映像データを前記装置制御信号に同期させて、前記カット映像記録編集装置での映像編集を制御する制御装置と、を備えたことを特徴としている。映像データを、ユーザにより再生された映像データ（カット映像）と、ユーザにより早送り再生又は早送りされた映像データとに分けることにより、映像データの編集を行う。
【０００７】
【特許文献１】特開２００４−１４０７５０号公報
【特許文献２】特開２００１−１１９６５８号公報
【発明の開示】
【発明が解決しようとする課題】
【０００８】
本発明の課題は、動画像データを編集するときに、ユーザが希望する条件に対して新たな条件が発生した場合、その新たな条件を短時間で実行することができる動画像編集装置を提供することにある。
【課題を解決するための手段】
【０００９】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１０】
本発明の動画像編集装置は、記憶装置（３）と、表示装置（２）と、制御装置（１）とを具備している。
前記制御装置（１）は、操作画面表示制御部（１４）と、ユーザ指定制御部（１５）と、再生表示制御部（１７）とを具備している。前記制御装置（１）は、例えばコンピュータプログラム（１３）であるソフトウェアにより構成されている。
前記記憶装置（３）には、動画像データ（１０）が格納されている。
前記操作画面表示制御部（１４）は、前記記憶装置（３）に格納された前記動画像データ（１０）とタイムライン群とを含む操作画面（３０）を前記表示装置（２）に表示する。前記タイムライン群は、ユーザが動画像データ（１０）を編集することが可能な時間軸を表している。
前記ユーザ指定制御部（１５）は、調整指示に応じて、前記操作画面（３０）に表示された前記タイムライン群の各々のタイムラインに対してユーザ指定領域を指定する。
前記再生表示制御部（１７）は、前記タイムライン群のうちの１つのタイムラインが選択されたとき、前記記憶装置（３）に格納された前記動画像データ（１０）のうちの、前記１つのタイムラインのユーザ指定領域に対応する動画像データを前記表示装置（２）に再生表示する。
本発明の動画像編集装置では、調整指示が行なれたとき、ユーザが希望する条件により、タイムライン群のうちの第１タイムライン（ＴＬ１）に対してユーザ指定領域が指定される。この条件に対して新たな条件が発生した場合、タイムライン群のうちの第２タイムライン（ＴＬ２）に対してユーザ指定領域が指定される。このようにして、タイムライン群（ＴＬ１、ＴＬ２、…）の各々のタイムラインに対してユーザ指定領域が指定される。タイムライン群（ＴＬ１、ＴＬ２、…）の１つのタイムラインにより動画像データ（１０）を再生表示したい場合、再生表示指示に応じて、動画像データ（１０）のうちの、上記１つのタイムラインのユーザ指定領域に対応する動画像データが表示装置（２）に再生表示される。このように、本発明の動画像編集装置は、動画像データ（１０）を編集するときに、ユーザが希望する条件に対して新たな条件が発生した場合、その新たな条件を短時間で実行することができる。このため、ユーザが本発明の動画像編集装置を用いて動画像データ（１０）を編集することは、編集作業に要する時間を短縮することができ、その編集効率が向上する。
【００１１】
本発明の動画像編集装置は、記憶装置（３）と、表示装置（２）と、制御装置（１）とを具備している。
前記制御装置（１）は、操作画面表示制御部（１４）と、ユーザ指定制御部（１５）と、論理制御部（１６）と、再生表示制御部（１７）とを具備している。前記制御装置（１）は、例えばコンピュータプログラム（１３）であるソフトウェアにより構成されている。
前記記憶装置（３）には、動画像データ（１０）が格納されている。
前記操作画面表示制御部（１４）は、前記記憶装置（３）に格納された前記動画像データ（１０）とタイムライン群とを含む操作画面（３０）を前記表示装置（２）に表示する。前記タイムライン群は、ユーザが動画像データ（１０）を編集することが可能な時間軸を表している。
前記ユーザ指定制御部（１５）は、調整指示に応じて、前記操作画面（３０）に表示された前記タイムライン群の各々のタイムラインに対してユーザ指定領域を指定する。
前記論理制御部（１６）は、論理条件に応じて、前記タイムライン群のうちの選択タイムラインを選択し、前記選択タイムラインのユーザ指定領域が指定された論理タイムラインを生成する。
前記再生表示制御部（１７）は、前記記憶装置（３）に格納された前記動画像データ（１０）のうちの、前記論理タイムラインのユーザ指定領域に対応する動画像データを前記表示装置（２）に再生表示する。
本発明の動画像編集装置では、調整指示が行なれたとき、ユーザが希望する条件により、タイムライン群の各々のタイムラインに対してユーザ指定領域が指定される。この条件に対して新たな条件（例えば論理ＯＲ）が発生した場合、論理条件を表す指示が行なれる。この指示に応じて、タイムライン群のうちの選択タイムラインが選択され、この選択タイムラインのユーザ指定領域が指定された論理タイムラインが生成される。この論理タイムラインにより動画像データ（１０）を再生表示したい場合、再生表示指示に応じて、動画像データ（１０）のうちの、論理タイムラインのユーザ指定領域に対応する動画像データが表示装置（２）に再生表示される。このように、本発明の動画像編集装置は、動画像データ（１０）を編集するときに、ユーザが希望する条件に対して新たな条件（論理ＯＲ）が発生した場合、その新たな条件を短時間で実行することができる。このため、ユーザが本発明の動画像編集装置を用いて動画像データ（１０）を編集することは、編集作業に要する時間を短縮することができ、その編集効率が向上する。
【００１２】
前記論理条件がＯＲ命令を表し、前記選択タイムライン（ＴＬ２、ＴＬ３）が前記タイムライン群のうちの少なくとも２つのタイムラインである（例えば図１１参照）。この場合、前記論理制御部（１６）は、前記論理条件に応じて、前記選択タイムライン（ＴＬ２、ＴＬ３）のユーザ指定領域（ＴＬ２−２、ＴＬ２−４、ＴＬ２−６）（ＴＬ３−１、ＴＬ３−３、ＴＬ３−５）が指定された前記論理タイムライン（ＴＬ４）を生成する。
本発明の動画像編集装置は、動画像データ（１０）を編集するときに、ユーザが希望する条件に対して新たな条件（論理ＯＲ）が発生した場合、その新たな条件を短時間で実行することができる。
【００１３】
前記論理条件がＮＯＴ命令を表し、前記選択タイムライン（ＴＬ１）が前記タイムライン群のうちの少なくとも１つのタイムラインである（例えば図９参照）。この場合、前記論理制御部（１６）は、前記論理条件に応じて、前記選択タイムライン（ＴＬ１）のユーザ指定領域（ＴＬ１−２、ＴＬ１−４）以外の領域が指定された前記論理タイムライン（ＴＬ３）を生成する。
本発明の動画像編集装置は、動画像データ（１０）を編集するときに、ユーザが希望する条件に対して新たな条件（論理ＮＯＴ）が発生した場合、その新たな条件を短時間で実行することができる。
本発明の動画像編集装置では、例えば、前記タイムライン群は、上記の論理タイムラインを含む場合がある。この場合、新たな条件（例えば論理ＮＯＴ）により生成された論理タイムラインを基に、さらに新たな条件（例えば論理ＯＲ）により論理タイムラインを生成することができる。
【００１４】
前記論理命令がＮＯＲ命令を表し、前記選択タイムライン（ＴＬ１、ＴＬ２）が前記タイムライン群のうちの少なくとも２つのタイムラインである（例えば図１３参照）。この場合、前記論理制御部（１６）は、前記論理条件に応じて、前記選択タイムライン（ＴＬ１、ＴＬ２）のユーザ指定領域（ＴＬ１−２）（ＴＬ２−２、ＴＬ２−４）以外の領域が指定された前記論理タイムライン（ＴＬ４）を生成する。
本発明の動画像編集装置は、動画像データ（１０）を編集するときに、ユーザが希望する条件に対して新たな条件（論理ＮＯＲ）が発生した場合、その新たな条件を短時間で実行することができる。
本発明の動画像編集装置では、例えば、前記タイムライン群は、上記の論理タイムラインを含む場合がある。この場合、新たな条件（例えば論理ＮＯＴ）により生成された論理タイムラインを基に、さらに新たな条件（例えば論理ＯＲ）により論理タイムラインを生成することにより、論理ＮＯＲと同等の論理タイムラインを生成することができる。
【００１５】
前記論理命令がＡＮＤ命令を表し、前記選択タイムライン（ＴＬ１、ＴＬ２）が前記タイムライン群のうちの少なくとも２つのタイムラインである（例えば図１３参照）。この場合、前記論理制御部（１６）は、前記論理条件に応じて、前記選択タイムライン（ＴＬ１、ＴＬ２）のユーザ指定領域（ＴＬ１−２）（ＴＬ２−２、ＴＬ２−４）のうちの、時間帯が重なるユーザ指定領域（ＴＬ５−２）が指定された前記論理タイムライン（ＴＬ５）を生成する。
本発明の動画像編集装置は、動画像データ（１０）を編集するときに、ユーザが希望する条件に対して新たな条件（論理ＡＮＤ）が発生した場合、その新たな条件を短時間で実行することができる。
【００１６】
前記制御装置（１）は、格納制御部（１８）を更に具備している。
前記格納制御部（１８）は、前記論理タイムラインと前記タイムライン群とを含む複数のタイムラインのうちの１つ以上のタイムラインを前記タイムライン群として前記動画像データ（１０）に対応付けて前記記憶装置（３）に格納する。
【００１７】
前記ユーザ指定制御部（１５）は、前記操作画面（３０）に表示された前記タイムライン群の各々のタイムラインに対して、調整指示に応じて、第１指定時間（ｔ１）及び第２指定時間（ｔ２）を指定し、前記第１指定時間（ｔ１）と前記第２指定時間（ｔ２）との間の時間帯を前記ユーザ指定領域として指定する。
【００１８】
前記操作画面（３０）は、ユーザが前記動画像データ（１０）の編集を行なうときの手助けとなる時間軸を表す編集アシストライン群（ＡＬ−１、ＡＬ−２…）を更に含んでいる（例えば図４〜図１３、図１５参照）。
ユーザは、操作画面（３０）に表示された編集アシストライン群（ＡＬ−１、ＡＬ−２…）を参考にして、調整指示を行なうことが好ましい。
【００１９】
前記動画像データ（１０）は、ビデオカメラにより被写体を撮影したときの映像データである。
前記編集アシストライン群（ＡＬ−１、ＡＬ−２…）のうちの１つの編集アシストライン（ＡＬ−１）は、前記ビデオカメラの操作履歴を表している（例えば図１３参照）。
この場合、ユーザは、操作画面（３０）に表示された編集アシストライン（ＡＬ−１）が表す操作履歴を参考にして、調整指示を行なうことが好ましい。
【００２０】
前記動画像データ（１０）は、ビデオカメラにより被写体を撮影したときの映像データである。
前記編集アシストライン群（ＡＬ−１、ＡＬ−２…）のうちの１つの編集アシストライン（ＡＬ−２）は、前記動画像データ（１０）に含まれる音声データを表している（例えば図１３参照）。
この場合、ユーザは、操作画面（３０）に表示された編集アシストライン（ＡＬ−２）が表す音声データを参考にして、調整指示を行なうことが好ましい。
【００２１】
前記動画像データ（１０）は、テレビ放送された番組を録画したときの映像データである。
前記編集アシストライン群（ＡＬ−１、ＡＬ−２…）のうちの１つの編集アシストライン（ＡＬ−１）は、前記動画像データ（１０）における再生履歴を表している（例えば図４、図１２参照）。
この場合、ユーザは、操作画面（３０）に表示された編集アシストライン（ＡＬ−１）が表す再生履歴を参考にして、調整指示を行なうことが好ましい。
【００２２】
前記動画像データ（１０）は、テレビ放送された番組を録画したときの映像データである。
前記編集アシストライン群（ＡＬ−１、ＡＬ−２…）のうちの１つの編集アシストライン（ＡＬ−２）は、前記動画像データ（１０）に含まれる音声データを表している（例えば図４、図１２参照）。
この場合、ユーザは、操作画面（３０）に表示された編集アシストライン（ＡＬ−１）が表す音声データを参考にして、調整指示を行なうことが好ましい。
【００２３】
本発明の動画像編集装置は、更に、ネットワーク（６）を介してサーバ（７−２）と接続されたネットワーク接続部（５）を具備している。
前記動画像データ（１０）は、テレビ放送された番組を録画したときの映像データである。
前記ネットワーク接続部（５）は、前記番組が放送されているときの視聴率を表す視聴率情報を前記サーバ（７−２）から受信して、前記動画像データ（１０）に対応付けて前記記憶装置（３）に格納する。
前記編集アシストライン群（ＡＬ−１、ＡＬ−２…）のうちの１つの編集アシストライン（ＡＬ−３）は、前記視聴率情報を表している（例えば図１５参照）。
この場合、ユーザは、操作画面（３０）に表示された編集アシストライン（ＡＬ−３）が表す音声データを参考にして、調整指示を行なうことが好ましい。
【００２４】
前記操作画面（３０）に表示された前記動画像データ（１０）は、前記動画像データ（１０）の一部を表すサムネイル画像である。
前記操作画面（３０）に表示された前記タイムライン群は、前記サムネイル画像に対応する（例えば図４〜図１３、図１５参照）。
【発明の効果】
【００２５】
本発明の動画像編集装置は、動画像データを編集するときに、ユーザが希望する条件に対して新たな条件が発生した場合、その新たな条件を短時間で実行することができる。
【発明を実施するための最良の形態】
【００２６】
以下に添付図面を参照して、本発明の動画像編集装置について詳細に説明する。
【００２７】
図１は、本発明の動画像編集装置の構成を示している。本発明の動画像編集装置は、制御装置１、表示装置２、記憶装置３、操作装置４を具備している。制御装置１は、表示装置２、記憶装置３、操作装置４に接続されている。また、制御装置１には、音声出力用のスピーカ（図示しない）が設けられている。記憶装置３としてはハードディスクレコーダーが例示される。操作装置４は、キーボード、ポインティングデバイス（例示；マウス）を含んでいる。
【００２８】
記憶装置３には、動画像データ１０が格納されている。動画像データ１０は、テレビ放送された番組を録画したときの映像データである。または、ビデオカメラにより被写体を撮影したときの映像データである。動画像データ１０は、動画像データ１０を識別するために付けられたファイル名と、動画像データ１０を表す複数の静止画像データと、動画像データ１０を録画したときの録画時間と、音声を表す音声データとを含んでいる。
【００２９】
図２は、制御装置１の構成を示している。制御装置１は、コンピュータであり、ＣＰＵ（Ｃｅｎｔｒａｌ  Ｐｒｏｃｅｓｓｉｎｇ  Ｕｎｉｔ）１１、記憶部１２を具備している。記憶部１２には、ＣＰＵ１１が実行するためのコンピュータプログラム１３が格納されている。コンピュータプログラム１３は、操作画面表示制御部１４、ユーザ指定制御部１５、論理制御部１６、再生表示制御部１７、格納制御部１８を含んでいる。ユーザは、動画像データ１０を編集するときに、操作装置４により指示を行なう。操作画面表示制御部１４、ユーザ指定制御部１５、論理制御部１６、格納制御部１８は、その指示に応じて、編集処理を実行する。
【００３０】
次に、図３〜図１１を用いて本発明の動画像編集装置の動作（編集処理・動画像編集方法）について説明する。
図４に示されるように、上記の動画像データ１０は、テレビ放送された番組を録画したときの映像データであり、動画像データ１０が表す動画像（シーン）にはコマーシャルが含まれているものとする。そこで、ユーザが好みの俳優“太郎”が映し出されているシーンについて、動画像データ１０を編集する場合を考えてみる。この場合、動画像データ１０は、ファイル名と、複数の静止画像データと、録画時間と、音声データを含み、更に、動画像データ１０における再生履歴を含んでいる。
【００３１】
ユーザは、操作装置４を用いて、操作画面表示指示を制御装置１に行なう。このとき、操作画面表示制御部１４は、ユーザによる操作画面表示指示に応じて、操作画面表示処理を実行する（図３のステップＳ１）。
この操作画面表示処理では、操作画面表示制御部１４は、動画像データ１０を記憶装置３から読み出し、操作画面３０を表示装置２に表示する。操作画面３０は、動画像データ１０と、動画像データ１０に含まれるファイル名“録画番組”と、タイムライン群と、編集アシストライン群と、ルーペ機能部３１と、カットポイントバー３２とを含んでいる。
【００３２】
動画像データ１０は、時系列で横方向に操作画面３０に表示される。この操作画面３０に表示された動画像データ１０は、動画像データ１０の一部分を表すサムネイル画像である。即ち、動画像データ１０に含まれる複数の静止画像データのうちの、ある間隔毎やシーン毎に抽出された静止画データである。ユーザがルーペ機能部３１を横方向に操作することにより、その操作に応じたサムネイル画像が動画像データ１０の一部分として操作画面３０に表示される。タイムライン群、編集アシストライン群は、そのサムネイル画像に対応して操作画面３０に表示される。カットポイントバー３２は、そのタイムライン群に対して垂直方向に操作画面３０に表示される。
【００３３】
タイムライン群、編集アシストライン群は、動画像データ１０に対応付けられて記憶装置３に格納されている。タイムライン群、編集アシストライン群は、動画像データ１０に含まれる複数の静止画像データを時系列で示す時間軸であり、動画像データ１０の一部分を表すサムネイル画像を上記時間軸により視覚的に表現するために用いられる。
タイムライン群は、ユーザが動画像データ１０を編集することが可能な時間軸を表している。
編集アシストライン群は、ユーザが動画像データ１０を編集するときの手助けとなる時間軸を表している。
【００３４】
編集アシストライン群のうちの１つの編集アシストラインＡＬ−１は、例えば、動画像データ１０における再生履歴を表している。ユーザは、動画像データ１０を編集しないで再生表示したい場合、操作装置４を用いて、動画像データ１０への再生指示を行なう。再生表示制御部１７は、再生指示に応じて、記憶装置３に格納された動画像データ１０を表示装置２に再生表示する。ユーザが操作装置４を用いて、動画像データ１０に対して再生、早送り、早送り再生、巻き戻し、巻き戻し再生、一時停止を行なう。上記の再生履歴は、再生、早送り、早送り再生、巻き戻し、巻き戻し再生、一時停止が行なわれたときの時間ＡＬ１−１〜ＡＬ１−５を表している。例えば、時間ＡＬ１−１と時間ＡＬ１−２との間の時間帯は、早送り又は早送り再生を開始してから再生を開始するまでの時間帯を表している。ユーザは、操作画面３０に表示された編集アシストラインＡＬ１の時間ＡＬ１−１〜ＡＬ１−５を参照することにより、動画像データ１０のコマーシャルが映し出されているシーンを把握することが可能になる。
【００３５】
編集アシストライン群のうちの１つの編集アシストラインＡＬ−２は、動画像データ１０に含まれる上記の音声データの特徴を表している。この音声データは、例えば、ステレオ音声を表すステレオ音声データと、モノラル音声を表すモノラル音声データとを含み、ステレオ音声データとモノラル音声データとが切り替わるときの時間ＡＬ２−１〜ＡＬ２−４を表している。この場合、音声データの特徴とは、音声データの切り替えである。ユーザＡは、操作画面３０に表示された編集アシストラインＡＬ２の時間ＡＬ２−１〜ＡＬ２−４を参照することにより、動画像データ１０のコマーシャルが映し出されているシーンを把握することが可能になる。
【００３６】
図４は、未だ動画像データ１０が編集されていない状態を示している。この場合、ユーザは、ＣＭをカットするために、操作装置４を用いて、タイムラインＴＬ１を選択する（図３のステップＳ２−ＹＥＳ、Ｓ３）。ユーザは、操作装置４を用いて、調整指示を制御装置１に行なう。このとき、制御装置１のユーザ指定制御部１５は、調整指示に応じて、ユーザ指定領域決定処理を実行する（図３のステップＳ５）。
このユーザ指定領域決定処理において、図５に示されるように、ユーザは、編集アシストラインＡＬ１、ＡＬ２を参照しながら、調整指示としてカットポイントバー３２を操作する。例えば、編集アシストラインＡＬ２が表す音声データの切り替わりを参照しながら、カットポイントバー３２を操作する。ユーザ指定制御部１５は、カットポイントバー３２の操作に応じて、操作画面３０に表示されたタイムラインＴＬ１に対して第１指定時間ｔ１及び第２指定時間ｔ２を指定することにより、タイムラインＴＬ１を複数のユーザ指定候補領域ＴＬ１−１〜ＴＬ１−５に分ける。このとき、ユーザ指定制御部１５は、第１指定時間ｔ１と第２指定時間ｔ２との間の時間帯であるユーザ指定候補領域（ＴＬ１−２、ＴＬ１−４）をユーザ指定領域として指定する。ユーザ指定領域（ＴＬ１−２、ＴＬ１−４）に対応する動画像データは、動画像データ１０のうちの、コマーシャル以外のシーンが映し出された動画像を表している。
【００３７】
ユーザは、例えば、コマーシャル以外のシーンを再生表示したい。この場合、ユーザは、操作装置４を用いて、タイムライン群のうちのタイムラインＴＬ１を選択タイムラインとして選択するための再生表示指示を制御装置１に行なう（図３のステップＳ６−ＮＯ）。制御装置１の再生表示制御部１７は、再生表示指示に応じて、選択タイムラインＴＬ１を選択する。そのとき、再生表示制御部１７は、記憶装置３に格納された動画像データ１０のうちの、選択タイムラインＴＬ１のユーザ指定領域（ＴＬ１−２、ＴＬ１−４）に対応する動画像データを表示装置２に再生表示する（図３のステップＳ８）。
ユーザは、動画像データ１０の編集に満足した場合（図３のステップＳ９−ＹＥＳ）、操作装置４を用いて、更新指示を制御装置１に行なう。このとき、制御装置１の格納制御部１８は、更新指示に応じて、選択タイムラインＴＬ１をタイムライン群ＴＬ１として動画像データ１０に対応付けて記憶装置３に格納する（図３のステップＳ１２）。または、選択タイムラインＴＬ１のユーザ指定領域以外（ＴＬ１−１、ＴＬ１−３、ＴＬ１−５を削除し、選択タイムラインＴＬ１のユーザ指定領域（ＴＬ１−２、ＴＬ１−４）で構成された新たな動画像データを記憶装置３に格納するようにしてもよい。
【００３８】
ユーザは、動画像データ１０の編集に満足せず、この編集を終了する場合（図３のステップＳ９−ＮＯ、Ｓ１０−ＹＥＳ）、操作装置４を用いて、編集処理を終了させる。この場合、操作画面表示制御部１４は、選択タイムラインＴＬ１を消去する（ステップＳ１１）。そして、ステップＳ１を制御装置１に実行させる。ここで、タイムライン群は最低１つのタイムラインを含んでいることが好ましい。このため、タイムライン群が選択タイムラインＴＬ１のみである場合、操作画面表示制御部１４は、選択タイムラインＴＬ１を消去した後、タイムラインＴＬ１を新たに追加する。
ユーザは、動画像データ１０の編集に満足しないが、編集を続ける場合（図３のステップＳ９−ＮＯ、Ｓ１０−ＮＯ）、ステップＳ５を制御装置１に実行させる。
【００３９】
上記ステップＳ１が実行されたとき、図５に示されるように、以前にタイムラインＴＬ１により動画像データ１０が編集されている。この場合、図６に示されるように、ユーザは、次に俳優“太郎”が映し出されているシーンを編集するために、操作装置４を用いて、タイムライン群にタイムラインＴＬ２を追加する（図３のステップＳ２−ＮＯ、Ｓ４）。ユーザは、操作装置４を用いて、調整指示を制御装置１に行なう。このとき、制御装置１のユーザ指定制御部１５は、調整指示に応じて、ユーザ指定領域決定処理を実行する（図３のステップＳ５）。
このユーザ指定領域決定処理において、図７に示されるように、ユーザは、編集アシストラインＡＬ１、ＡＬ２を参照しながら、調整指示としてカットポイントバー３２を操作する。ユーザ指定制御部１５は、カットポイントバー３２の操作に応じて、操作画面３０に表示されたタイムラインＴＬ２に対して第１指定時間ｔ１及び第２指定時間ｔ２を指定することにより、タイムラインＴＬ２を複数のユーザ指定候補領域ＴＬ２−１〜ＴＬ２−７に分ける。このとき、ユーザ指定制御部１５は、第１指定時間ｔ１と第２指定時間ｔ２との間の時間帯であるユーザ指定候補領域（ＴＬ２−２、ＴＬ２−４、ＴＬ２−６）をユーザ指定領域として指定する。ユーザ指定領域（ＴＬ２−２、ＴＬ２−４、ＴＬ２−６）に対応する動画像データは、動画像データ１０のうちの、俳優“太郎”が映し出された動画像を表している。
【００４０】
ここで、ユーザは、操作装置４を用いて、論理条件を表す指示を制御装置１に行なう（図３のステップＳ６−ＹＥＳ）。論理条件は、論理命令として、例えばＮＯＴ命令、ＯＲ命令、ＮＯＲ命令、ＡＮＤ命令…を表している。まず、図８に示されるように、制御装置１の論理制御部１６は、ユーザによる操作装置４の操作に応じて、論理命令選択画面３３を操作画面３０の一部に重ねて表示する。論理命令選択画面３３は、論理条件としてＮＯＴ命令、ＯＲ命令、ＮＯＲ命令、ＡＮＤ命令…を選択する欄を含んでいる。ユーザは、操作装置４を用いて、タイムライン群ＴＬ１、ＴＬ２のうちの選択タイムラインを選択するための論理命令用タイムライン選択指示を制御装置１に行ない、論理条件として例えばＯＲ命令を選択するための論理命令選択指示を制御装置１に行なう。この場合、制御装置１の論理制御部１６は、論理命令用タイムライン選択指示に応じて、選択タイムラインを選択し、論理命令選択指示に応じて、この選択タイムラインのユーザ指定領域が指定された論理タイムラインを生成する（図３のステップＳ７）。
【００４１】
具体的な例として、ＮＯＴ命令、ＯＲ命令を実行する場合について説明する。
【００４２】
ユーザは、例えば、コマーシャルだけが映し出されたシーンを再生表示したい場合がある。この場合、図８に示されるように、ユーザは、操作装置４を用いて、タイムライン群ＴＬ１、ＴＬ２のうちの少なくとも１つのタイムラインを選択タイムラインとして選択するための論理命令用タイムライン選択指示を制御装置１に行ない、論理条件としてＮＯＴ命令を選択するための論理命令選択指示を制御装置１に行なう（図３のステップＳ６−ＹＥＳ）。ここで、選択タイムラインはタイムラインＴＬ１である。図９に示されるように、論理制御部１６は、論理命令用タイムライン選択指示に応じて、選択タイムラインＴＬ１を選択し、論理命令選択指示に応じて、選択タイムラインＴＬ１のユーザ指定領域（ＴＬ１−２、ＴＬ１−４）以外の領域が指定されたタイムラインＴＬ３を論理タイムラインとして生成する（図３のステップＳ７）。この場合、論理タイムラインＴＬ３は、複数のユーザ指定候補領域ＴＬ３−１〜ＴＬ３−５に分けられ、論理タイムラインＴＬ３のユーザ指定領域は、ユーザ指定候補領域ＴＬ１−１、ＴＬ１−３、ＴＬ１−５に対応する（ＴＬ３−１、ＴＬ３−３、ＴＬ３−５）である。このユーザ指定領域（ＴＬ３−１、ＴＬ３−３、ＴＬ３−５）に対応する動画像データは、動画像データ１０のうちの、コマーシャルが映し出された動画像を表している。
【００４３】
ユーザは、操作装置４を用いて、論理タイムラインＴＬ３を選択するための再生表示指示を制御装置１に行なう。制御装置１の再生表示制御部１７は、再生表示指示に応じて、論理タイムラインＴＬ３を選択する。そのとき、再生表示制御部１７は、記憶装置３に格納された動画像データ１０のうちの、論理タイムラインＴＬ３のユーザ指定領域（ＴＬ３−１、ＴＬ３−３、ＴＬ３−５）に対応する動画像データを表示装置２に再生表示する（図３のステップＳ８）。
ここで、ユーザは、動画像データ１０の編集に満足した場合（図３のステップＳ９−ＹＥＳ）、操作装置４を用いて、更新指示を制御装置１に行なう。このとき、制御装置１の格納制御部１８は、更新指示に応じて、論理タイムラインＴＬ３とタイムライン群ＴＬ１、ＴＬ２とを含む複数のタイムラインのうちの１つ以上のタイムラインをタイムライン群として、動画像データ１０に対応付けて記憶装置３に格納する（図３のステップＳ１２）。または、選択されたタイムライン、例えば論理タイムラインＴＬ３のユーザ指定領域以外（ＴＬ３−２、ＴＬ３−４）を削除し、論理タイムラインＴＬ３のユーザ指定領域（ＴＬ３−１、ＴＬ３−３、ＴＬ３−５）で構成された新たな動画像データを記憶装置３に格納するようにしてもよい。
【００４４】
ユーザは、例えば、コマーシャルか俳優“太郎”が映し出されたシーンを再生表示したい場合がある。この場合、図１０に示されるように、ユーザは、操作装置４を用いて、タイムライン群のうちの少なくとも２つのタイムラインを選択タイムラインとして選択するための論理命令用タイムライン選択指示を制御装置１に行ない、論理条件としてＯＲ命令を選択するための論理命令選択指示を制御装置１に行なう（図３のステップＳ６−ＹＥＳ）。ここで、選択タイムラインはタイムラインＴＬ２、ＴＬ３である。図１１に示されるように、論理制御部１６は、論理命令用タイムライン選択指示に応じて、選択タイムラインＴＬ２、ＴＬ３を選択し、論理命令選択指示に応じて、選択タイムラインＴＬ２、ＴＬ３のユーザ指定領域（ＴＬ２−２、ＴＬ２−４、ＴＬ２−６）（ＴＬ３−１、ＴＬ３−３、ＴＬ３−５）が指定されたタイムラインＴＬ４を論理タイムラインとして生成する（図３のステップＳ７）。この場合、論理タイムラインＴＬ４は、複数のユーザ指定候補領域ＴＬ４−１〜ＴＬ４−７に分けられ、論理タイムラインＴＬ４のユーザ指定領域は、ユーザ指定領域（ＴＬ２−２、ＴＬ２−４、ＴＬ２−６）（ＴＬ３−１、ＴＬ３−３、ＴＬ３−５）に対応する（ＴＬ４−１、ＴＬ４−３、ＴＬ４−５、ＴＬ４−７、ＴＬ４−９、ＴＬ４−１１）である。このユーザ指定領域（ＴＬ４−１、ＴＬ４−３、ＴＬ４−５、ＴＬ４−７、ＴＬ４−９、ＴＬ４−１１）に対応する動画像データは、動画像データ１０のうちの、コマーシャルか俳優“太郎”のシーンが映し出された動画像を表している。
【００４５】
ユーザは、操作装置４を用いて、論理タイムラインＴＬ４を選択するための再生表示指示を制御装置１に行なう。制御装置１の再生表示制御部１７は、再生表示指示に応じて、論理タイムラインＴＬ４を選択する。そのとき、再生表示制御部１７は、記憶装置３に格納された動画像データ１０のうちの、論理タイムラインＴＬ４のユーザ指定領域（ＴＬ４−１、ＴＬ４−３、ＴＬ４−５、ＴＬ４−７、ＴＬ４−９、ＴＬ４−１１）に対応する動画像データを表示装置２に再生表示する（図３のステップＳ８）。
ここで、ユーザは、動画像データ１０の編集に満足した場合（図３のステップＳ９−ＹＥＳ）、操作装置４を用いて、更新指示を制御装置１に行なう。このとき、制御装置１の格納制御部１８は、更新指示に応じて、論理タイムラインＴＬ４とタイムライン群ＴＬ１〜ＴＬ３とを含む複数のタイムラインのうちの１つ以上のタイムラインをタイムライン群として動画像データ１０に対応付けて記憶装置３に格納する（図３のステップＳ１２）。または、選択されたタイムライン、例えば論理タイムラインＴＬ４のユーザ指定領域以外（ＴＬ４−２、ＴＬ４−４、ＴＬ４−６、ＴＬ４−８、ＴＬ４−１０）を削除し、論理タイムラインＴＬ４のユーザ指定領域（ＴＬ４−１、ＴＬ４−３、ＴＬ４−５、ＴＬ４−７、ＴＬ４−９、ＴＬ４−１１）で構成された新たな動画像データを記憶装置３に格納するようにしてもよい。
【００４６】
本発明の動画像編集装置では、調整指示が行なれたとき、ユーザが希望する条件により、タイムライン群のうちのタイムラインＴＬ１に対してユーザ指定領域が指定される。この条件に対して新たな条件が発生した場合、タイムライン群のうちのタイムラインＴＬ２に対してユーザ指定領域が指定される。このようにして、タイムライン群ＴＬ１、ＴＬ２、…の各々のタイムラインに対してユーザ指定領域が指定される。タイムライン群ＴＬ１、ＴＬ２、…の１つのタイムラインにより動画像データ１０を再生表示したい場合、再生表示指示に応じて、動画像データ１０のうちの、上記１つのタイムラインのユーザ指定領域に対応する動画像データが表示装置２に再生表示される。このように、本発明の動画像編集装置は、動画像データ１０を編集するときに、ユーザが希望する条件に対して新たな条件が発生した場合、その新たな条件を短時間で実行することができる。このため、ユーザが本発明の動画像編集装置を用いて動画像データ１０を編集することは、編集作業に要する時間を短縮することができ、その編集効率が向上する。
【００４７】
また、本発明の動画像編集装置では、ユーザが希望する条件に対して新たな条件（例えば論理ＯＲ）が発生した場合、論理条件を表す指示が行なれる。この指示に応じて、タイムライン群のうちの選択タイムラインが選択され、この選択タイムラインのユーザ指定領域が指定された論理タイムラインが生成される。この論理タイムラインにより動画像データ１０を再生表示したい場合、再生表示指示に応じて、動画像データ１０のうちの、論理タイムラインのユーザ指定領域に対応する動画像データが表示装置２に再生表示される。このように、本発明の動画像編集装置は、動画像データ１０を編集するときに、ユーザが希望する条件に対して新たな条件（論理ＯＲ）が発生した場合、その新たな条件を短時間で実行することができる。このため、ユーザが本発明の動画像編集装置を用いて動画像データ１０を編集することは、編集作業に要する時間を短縮することができ、その編集効率が向上する。
【００４８】
本発明の動画像編集装置では、ユーザが希望する条件に対して新たな条件（論理ＮＯＴ）が発生した場合、論理条件を表す指示が行なれる。この指示に応じて、タイムライン群のうちの選択タイムラインが選択され、この選択タイムラインのユーザ指定領域以外の領域が指定された論理タイムラインが生成される。この場合でも、本発明の動画像編集装置は、その新たな条件（論理ＮＯＴ）を短時間で実行することができる。
【００４９】
本発明の動画像編集装置では、例えば、タイムライン群は、上記の論理タイムラインを含む場合がある。この場合、新たな条件（例えば論理ＮＯＴ）により生成された論理タイムラインを基に、さらに新たな条件（例えば論理ＯＲ）により論理タイムラインを生成することができる。
【００５０】
他の例として、ＯＲ命令を実行する場合について説明する。
【００５１】
図１２に示されるように、上記の動画像データ１０は、テレビ放送された番組を録画したときの映像データであり、動画像データ１０が表す動画像（シーン）にはコマーシャルが含まれているもの場合もある。そこで、ユーザＡ、Ｂが好きなシーンについて、動画像データ１０を編集する場合を考えてみる。この場合、動画像データ１０は、ファイル名と、複数の静止画像データと、録画時間と、音声データを含み、更に、動画像データ１０における再生履歴を含んでいる。
【００５２】
例えば、ステップＳ１〜Ｓ５が実行された結果、タイムライン群としてタイムラインＴＬ１、ＴＬ２、ＴＬ３が生成されている。
ユーザは、タイムラインＴＬ１によりＣＭをカットする。この場合、タイムラインＴＬ１は、複数のユーザ指定候補領域ＴＬ１−１〜ＴＬ１−５に分けられ、ユーザ指定候補領域（ＴＬ１−１、ＴＬ１−３、ＴＬ１−５）がユーザ指定領域として指定されている。ユーザ指定領域（ＴＬ１−１、ＴＬ１−３、ＴＬ１−５）に対応する動画像データは、動画像データ１０のうちの、コマーシャル以外のシーンが映し出された動画像を表している。
ユーザは、上記のタイムラインＴＬ１を参考にして、タイムラインＴＬ２により、ＣＭ以外のシーン（本編）で、ユーザＡが好きなシーンを編集する。タイムラインＴＬ２は、複数のユーザ指定候補領域ＴＬ２−１〜ＴＬ２−７に分けられ、ユーザ指定候補領域（ＴＬ２−２、ＴＬ２−４、ＴＬ２−６）がユーザ指定領域として指定されている。ユーザ指定領域（ＴＬ２−２、ＴＬ２−４、ＴＬ２−６）に対応する動画像データは、動画像データ１０のうちの、ユーザＡが好きなシーンが映し出された動画像を表している。
ユーザは、上記のタイムラインＴＬ１を参考にして、タイムラインＴＬ３により、ＣＭ以外のシーン（本編）で、ユーザＢが好きなシーンを編集する。タイムラインＴＬ３は、複数のユーザ指定候補領域ＴＬ３−１〜ＴＬ３−７に分けられ、ユーザ指定候補領域（ＴＬ３−２、ＴＬ３−４、ＴＬ３−６）がユーザ指定領域として指定されている。ユーザ指定領域（ＴＬ３−２、ＴＬ３−４、ＴＬ３−６）に対応する動画像データは、動画像データ１０のうちの、ユーザＢが好きなシーンが映し出された動画像を表している。
【００５３】
ユーザは、例えば、ユーザＡかユーザＢが好きなシーンを再生表示したい場合がある。この場合、ユーザは、操作装置４を用いて、タイムライン群のうちの少なくとも２つのタイムラインを選択タイムラインとして選択するための論理命令用タイムライン選択指示を制御装置１に行ない、論理条件としてＯＲ命令を選択するための論理命令選択指示を制御装置１に行なう（図３のステップＳ６−ＹＥＳ）。ここで、選択タイムラインはタイムラインＴＬ２、ＴＬ３である。図１２に示されるように、論理制御部１６は、論理命令用タイムライン選択指示に応じて、選択タイムラインＴＬ２、ＴＬ３を選択し、論理命令選択指示に応じて、選択タイムラインＴＬ２、ＴＬ３のユーザ指定領域（ＴＬ２−２、ＴＬ２−４、ＴＬ２−６）（ＴＬ３−２、ＴＬ３−４、ＴＬ３−６）が指定されたタイムラインＴＬ４を論理タイムラインとして生成する（図３のステップＳ７）。この場合、論理タイムラインＴＬ４は、複数のユーザ指定候補領域ＴＬ４−１〜ＴＬ４−１３に分けられ、論理タイムラインＴＬ４のユーザ指定領域は、ユーザ指定領域（ＴＬ２−２、ＴＬ２−４、ＴＬ２−６）（ＴＬ３−２、ＴＬ３−４、ＴＬ３−６）に対応する（ＴＬ４−２、ＴＬ４−４、ＴＬ４−６、ＴＬ４−８、ＴＬ４−１０、ＴＬ４−１２）である。このユーザ指定領域（ＴＬ４−２、ＴＬ４−４、ＴＬ４−６、ＴＬ４−８、ＴＬ４−１０、ＴＬ４−１２）に対応する動画像データは、動画像データ１０のうちの、ユーザＡかユーザＢが好きなシーンが映し出された動画像を表している。
その後、ステップＳ８以降が実行される。
【００５４】
本発明の動画像編集装置では、ユーザが希望する条件に対して新たな条件（論理ＯＲ）が発生した場合でも、その新たな条件（論理ＯＲ）を短時間で実行することができる。
【００５５】
更に他の例として、ＯＲ命令、ＮＯＲ命令、ＡＮＤ命令を実行する場合について説明する。
【００５６】
図１３に示されるように、上記の動画像データ１０は、ビデオカメラにより被写体を撮影したときの映像データであり、動画像データ１０が表す動画像（シーン）にユーザＡ、Ｂが映し出されているものとする。そこで、ユーザＡ、Ｂが映し出されているシーンについて、動画像データ１０を編集する場合を考えてみる。この場合、動画像データ１０は、ファイル名と、複数の静止画像データと、録画時間と、音声データを含み、更に、ビデオカメラの操作履歴を含んでいる。
【００５７】
この場合、ステップＳ１が実行されたとき、編集アシストライン群のうちの１つの編集アシストラインＡＬ−１は、例えば、ビデオカメラの操作履歴を表している。この操作履歴は、ビデオカメラにより録画を開始したときの時間ＡＬ１−１、ＡＬ１−２、ＡＬ１−３、ＡＬ１−４、ＡＬ１−５を表している。例えば、時間ＡＬ１−１と時間ＡＬ１−２との間の時間帯は、ビデオカメラにより録画を開始してから一旦停止するまでの時間帯を表している。ユーザは、操作画面３０に表示された編集アシストラインＡＬ１の時間ＡＬ１−１〜ＡＬ１−５を参照することにより、動画像データ１０のユーザＡ、Ｂが映し出されているシーンを把握することが可能になる。
【００５８】
編集アシストライン群のうちの１つの編集アシストラインＡＬ−２は、動画像データ１０に含まれる上記の音声データの特徴を表している。この音声データは、例えば、音量（デシベル）が波形により表されたデータであり、その音量が急激に変化したときの時間ＡＬ２−１、ＡＬ２−２を表している。この場合、音声データの特徴とは、音声データが表す音量である。ユーザは、操作画面３０に表示された編集アシストラインＡＬ２の時間ＡＬ２−１、ＡＬ２−２を参照することにより、動画像データ１０のユーザＡ、Ｂが映し出されているシーンを把握することが可能になる。
【００５９】
例えば、ステップＳ１〜Ｓ５が実行された結果、タイムライン群としてタイムラインＴＬ１、ＴＬ２が生成されている。
ユーザは、タイムラインＴＬ１により、ユーザＡが映し出されているシーンを編集する。タイムラインＴＬ１は、複数のユーザ指定候補領域ＴＬ１−１〜ＴＬ１−３に分けられ、ユーザ指定候補領域（ＴＬ１−２）がユーザ指定領域として指定されている。ユーザ指定領域（ＴＬ１−２）に対応する動画像データは、動画像データ１０のうちの、ユーザＡが映し出された動画像を表している。
ユーザは、タイムラインＴＬ２により、ユーザＢが映し出されているシーンを編集する。タイムラインＴＬ２は、複数のユーザ指定候補領域ＴＬ２−１〜ＴＬ２−５に分けられ、ユーザ指定候補領域（ＴＬ２−２、ＴＬ２−４）がユーザ指定領域として指定されている。ユーザ指定領域（ＴＬ２−２、ＴＬ２−４）に対応する動画像データは、動画像データ１０のうちの、ユーザＢが映し出された動画像を表している。
【００６０】
ユーザは、例えば、ユーザＡかユーザＢが映し出されたシーンを再生表示したい場合がある。この場合、ユーザは、操作装置４を用いて、タイムライン群のうちの少なくとも２つのタイムラインを選択タイムラインとして選択するための論理命令用タイムライン選択指示を制御装置１に行ない、論理条件としてＯＲ命令を選択するための論理命令選択指示を制御装置１に行なう（図３のステップＳ６−ＹＥＳ）。ここで、選択タイムラインはタイムラインＴＬ１、ＴＬ２である。図１３に示されるように、論理制御部１６は、論理命令用タイムライン選択指示に応じて、選択タイムラインＴＬ１、ＴＬ２を選択し、論理命令選択指示に応じて、選択タイムラインＴＬ１、ＴＬ２のユーザ指定領域（ＴＬ１−２）（ＴＬ２−２、ＴＬ２−４）が指定されたタイムラインＴＬ３を論理タイムラインとして生成する（図３のステップＳ７）。この場合、論理タイムラインＴＬ３は、複数のユーザ指定候補領域ＴＬ３−１〜ＴＬ３−３に分けられ、論理タイムラインＴＬ３のユーザ指定領域は、ユーザ指定領域（ＴＬ１−２）（ＴＬ２−２、ＴＬ２−４）に対応する（ＴＬ３−２）である。このユーザ指定領域（ＴＬ３−２）に対応する動画像データは、動画像データ１０のうちの、ユーザＡかユーザＢが映し出された動画像を表している。
その後、ステップＳ８以降が実行される。
【００６１】
本発明の動画像編集装置では、ユーザが希望する条件に対して新たな条件（論理ＯＲ）が発生した場合でも、その新たな条件（論理ＯＲ）を短時間で実行することができる。
【００６２】
ユーザは、例えば、ユーザＡもユーザＢも映し出されていないシーンを再生表示したい場合がある。この場合、ユーザは、操作装置４を用いて、タイムライン群のうちの少なくとも２つのタイムラインを選択タイムラインとして選択するための論理命令用タイムライン選択指示を制御装置１に行ない、論理条件としてＮＯＲ命令を選択するための論理命令選択指示を制御装置１に行なう（図３のステップＳ６−ＹＥＳ）。ここで、選択タイムラインはタイムラインＴＬ１、ＴＬ２である。図１３に示されるように、論理制御部１６は、論理命令用タイムライン選択指示に応じて、選択タイムラインＴＬ１、ＴＬ２を選択し、論理命令選択指示に応じて、選択タイムラインＴＬ１、ＴＬ２のユーザ指定領域（ＴＬ１−２）（ＴＬ２−２、ＴＬ２−４）以外の領域が指定されたタイムラインＴＬ４を論理タイムラインとして生成する（図３のステップＳ７）。この場合、論理タイムラインＴＬ４は、複数のユーザ指定候補領域ＴＬ４−１〜ＴＬ４−３に分けられ、論理タイムラインＴＬ４のユーザ指定領域は、ユーザ指定候補領域ＴＬ３−１、ＴＬ３−３に対応する（ＴＬ４−１、ＴＬ４−３）である。このユーザ指定領域（ＴＬ４−１、ＴＬ４−３）に対応する動画像データは、動画像データ１０のうちの、ユーザＡもユーザＢも映し出されていない動画像を表している。
その後、ステップＳ８以降が実行される。
【００６３】
本発明の動画像編集装置では、ユーザが希望する条件に対して新たな条件（論理ＮＯＲ）が発生した場合、論理条件を表す指示が行なれる。この指示に応じて、タイムライン群のうちの選択タイムラインが選択され、この選択タイムラインのユーザ指定領域が指定された論理タイムラインが生成される。この場合でも、本発明の動画像編集装置は、その新たな条件（論理ＮＯＲ）を短時間で実行することができる。
【００６４】
または、ユーザは、操作装置４を用いて、論理タイムラインＴＬ３を生成した後、タイムライン群ＴＬ１、ＴＬ２、ＴＬ３のうちの少なくとも１つのタイムラインを選択タイムラインとして選択するための論理命令用タイムライン選択指示を制御装置１に行ない、論理条件としてＮＯＴ命令を選択するための論理命令選択指示を制御装置１に行なう（図３のステップＳ６−ＹＥＳ）。ここで、選択タイムラインはタイムラインＴＬ３である。図１３に示されるように、論理制御部１６は、論理命令用タイムライン選択指示に応じて、選択タイムラインＴＬ３を選択し、論理命令選択指示に応じて、選択タイムラインＴＬ３のユーザ指定領域（ＴＬ３−２）以外の領域が指定されたタイムラインＴＬ４を論理タイムラインとして生成する（図３のステップＳ７）。
【００６５】
本発明の動画像編集装置では、例えば、タイムライン群は、上記の論理タイムラインを含む場合がある。この場合、新たな条件（例えば論理ＯＲ）により生成された論理タイムラインを基に、さらに新たな条件（例えば論理ＮＯＴ）により論理タイムラインを生成することにより、論理ＮＯＲと同等の論理タイムラインを生成することができる。
【００６６】
ユーザは、例えば、ユーザＡとユーザＢが映し出されたシーンを再生表示したい場合がある。この場合、ユーザは、操作装置４を用いて、タイムライン群のうちの少なくとも２つのタイムラインを選択タイムラインとして選択するための論理命令用タイムライン選択指示を制御装置１に行ない、論理条件としてＡＮＤ命令を選択するための論理命令選択指示を制御装置１に行なう（図３のステップＳ６−ＹＥＳ）。ここで、選択タイムラインはタイムラインＴＬ１、ＴＬ２である。図１３に示されるように、論理制御部１６は、論理命令用タイムライン選択指示に応じて、選択タイムラインＴＬ１、ＴＬ２を選択し、論理命令選択指示に応じて、選択タイムラインＴＬ１、ＴＬ２のユーザ指定領域（ＴＬ１−２）（ＴＬ２−２、ＴＬ２−４）のうちの、時間帯が重なるユーザ指定領域が指定されたタイムラインＴＬ５を論理タイムラインとして生成する（図３のステップＳ７）。この場合、論理タイムラインＴＬ５は、複数のユーザ指定候補領域ＴＬ５−１〜ＴＬ５−３に分けられ、論理タイムラインＴＬ５のユーザ指定領域は、ユーザ指定領域（ＴＬ１−２）とユーザ指定領域（ＴＬ２−４）とが重なる領域に対応する（ＴＬ５−２）である。このユーザ指定領域（ＴＬ５−２）に対応する動画像データは、動画像データ１０のうちの、ユーザＡとユーザＢが映し出された動画像を表している。
その後、ステップＳ８以降が実行される。
【００６７】
本発明の動画像編集装置では、ユーザが希望する条件に対して新たな条件（論理ＡＮＤ）が発生した場合、論理条件を表す指示が行なれる。この指示に応じて、タイムライン群のうちの選択タイムラインが選択され、この選択タイムラインのユーザ指定領域のうちの、時間帯が重なるユーザ指定領域が指定された論理タイムラインが生成される。この場合でも、本発明の動画像編集装置は、その新たな条件（論理ＡＮＤ）を短時間で実行することができる。
【００６８】
本発明の動画像編集装置における他の実施形態として、上記の動画像データ１０が、テレビ放送された番組を表す映像データである場合、編集アシストライン群のうちの１つの編集アシストラインは、その番組が放送されているときの視聴率を表していてもよい。これについて説明する。
【００６９】
図１４に示されるように、本発明の動画像編集装置は、更に、通信装置であるネットワーク接続部５を具備している。ネットワーク接続部５は、制御装置１に接続され、ネットワーク６を介してサーバ７−１、７−２に接続されている。サーバ７−１は、例えば放送局に設けられたコンピュータであり、テレビ放送された番組として動画像データを配信する。動画像データ１０は、更に、放送日時、番組名を含んでいる。サーバ７−２は、例えばサーチ会社又は放送局に設けられたコンピュータであり、提供部（図示しない）と、視聴率データベース（図示しない）とを具備している。視聴率データベースには、上記放送日時、番組名と、上記番組が放送されているときの視聴率を表す視聴率情報とが対応付けられて格納されている。提供部は、視聴率情報をサーチ結果として提供する。
【００７０】
ネットワーク接続部５は、ユーザの操作装置４の操作により番組を要求するとき、上記番組を表す動画像データ１０をサーバ７−１から受信して記憶装置３に格納する。そこで、操作画面表示制御部１４は、ユーザによる操作画面表示指示に応じて、動画像データ１０に対して操作画面表示処理（ステップＳ１）を実行するとき、視聴率要求をネットワーク接続部５に通知する。この視聴率要求は、動画像データ１０の放送日時と番組名とを含んでいる。ネットワーク接続部５は、この視聴率要求をサーバ７−２に送信する。サーバ７−２は、視聴率データベースを参照して、視聴率要求に応じた視聴率情報をネットワーク接続部５に送信する。ネットワーク接続部５は、その視聴率情報を受信して、動画像データ１０に対応付けて記憶装置３に格納する。図１５に示されるように、操作画面表示制御部１４は、操作画面３０を表示装置２に表示したとき、操作画面３０に含まれる編集アシストライン群のうちの１つの編集アシストラインとして、視聴率情報を表す編集タイムラインＡＬ３を表示する。ユーザは、操作画面３０に表示された編集アシストラインＡＬ３が表す視聴率情報を参照することにより、動画像データ１０のユーザが気になるシーンを把握することが可能になる。
【図面の簡単な説明】
【００７１】
【図１】図１は、本発明の動画像編集装置の構成を示している。
【図２】図２は、本発明の動画像編集装置の制御装置１の構成を示している。
【図３】図３は、本発明の動画像編集装置の動作を示すフローチャートである。
【図４】図４は、本発明の動画像編集装置の表示装置２に表示される操作画面３０を示している。
【図５】図５は、本発明の動画像編集装置の表示装置２に表示される操作画面３０を示している。
【図６】図６は、本発明の動画像編集装置の表示装置２に表示される操作画面３０を示している。
【図７】図７は、本発明の動画像編集装置の表示装置２に表示される操作画面３０を示している。
【図８】図８は、本発明の動画像編集装置の表示装置２に表示される操作画面３０を示している。
【図９】図９は、本発明の動画像編集装置の表示装置２に表示される操作画面３０を示している。
【図１０】図１０は、本発明の動画像編集装置の表示装置２に表示される操作画面３０を示している。
【図１１】図１１は、本発明の動画像編集装置の表示装置２に表示される操作画面３０を示している。
【図１２】図１２は、本発明の動画像編集装置の表示装置２に表示される操作画面３０を示している。
【図１３】図１３は、本発明の動画像編集装置の表示装置２に表示される操作画面３０を示している。
【図１４】図１４は、本発明の動画像編集装置の他の構成を示している。
【図１５】図１５は、本発明の動画像編集装置の表示装置２に表示される操作画面３０を示している。
【符号の説明】
【００７２】
１    制御装置
２    表示装置
３    記憶装置
４    操作装置
５    ネットワーク接続部
６    ネットワーク
７−１、７−２    サーバ
１０    動画像データ
１１    ＣＰＵ
１２    記憶部
１３    コンピュータプログラム
１４    操作画面表示制御部
１５    ユーザ指定制御部
１６    論理制御部
１７    再生表示制御部
１８    格納制御部
３０    操作画面
３１    ルーペ機能部
３２    カットポイントバー
３３    論理命令選択画面
ＡＬ１、ＡＬ２…    編集アシストライン
ｔ１、ｔ２    指定時間
ＴＬ１、ＴＬ２、ＴＬ３…    タイムライン
【図１】
2007088915.tif 000003
【図２】
2007088915.tif 000004
【図３】
2007088915.tif 000005
【図４】
2007088915.tif 000006
【図５】
2007088915.tif 000007
【図６】
2007088915.tif 000008
【図７】
2007088915.tif 000009
【図８】
2007088915.tif 000010
【図９】
2007088915.tif 000011
【図１０】
2007088915.tif 000012
【図１１】
2007088915.tif 000013
【図１２】
2007088915.tif 000014
【図１３】
2007088915.tif 000015
【図１４】
2007088915.tif 000016
【図１５】
2007088915.tif 000017